(57)【特許請求の範囲】
【請求項１】
電子部品を収納する容器と封止蓋とを気密封止する電子部品の封止装置であって、
封止ラインとそれに続く５０℃以下の温度に冷却する冷却ラインとを有し、
封止蓋と容器との間に溶着材を介在させ、封止ラインにおいて減圧状態で溶着材を溶融させて封止蓋と容器とを封止する封止装置であり、
冷却ラインは、直接容器に接触する冷却荷重ピンによって容器と封止蓋との間を加圧しながら冷却を行うものであり、
冷却ラインは、窒素導入口を備えたものである
ことを特徴とする封止装置。
【請求項２】
容器及び封止蓋は、封止治具及び治具蓋の間に設けられた空間中に設置されるものである請求項１記載の封止装置。
【請求項３】
請求項１又は２記載の封止装置を使用して容器と封止蓋とを封止することを特徴とする封止・冷却方法。
【発明の詳細な説明】
【技術分野】
【０００１】
本発明は、封止装置及び封止・冷却方法に関する。
【背景技術】
【０００２】
水晶振動子、水晶発振器、弾性表面波フィルタ、ＬＥＤ等の電子部品の分野において、減圧下で容器の開口部に封止蓋を接合することで、該容器を気密封止することが行われている。
【０００３】
特許文献１においては、パレットを使用して、このパレットに封止蓋と容器とを載置し、封止装置中において加熱封止する封止装置が開示されている。このような封止は、溶着材の融点以上の温度に加熱して行われるから、その後、冷却工程を設け、封止を行った後の電子部品を冷却することが必要となる。
【０００４】
このような冷却は、通常、図２に示したような方法で行われる。図２の２ａは封止ラインを示し、２ｂが冷却ラインを示す模式図である。図２の２ａの封止ラインにおいては、上下から加熱板によって挟み込む際に荷重ピン１６によって直接容器１１を加圧・加熱することが行われているが、図２の２ｂの冷却ラインにおいては、このような荷重ピンは使用されていない。
【０００５】
すなわち、封止工程においては、溶融した溶着材１３にとって隙間なく強力な接着強度で容器１１と封止蓋１２を圧着するため、荷重ピン１６が使用されるものである。しかし、冷却工程は、封止工程で接着したものを冷却するだけであるから、荷重ピンは不要であると考えられていた。
【０００６】
このような従来の冷却工程においては、上下から冷却板を封止治具１５や治具蓋１４に接触させ、熱伝導によって冷却を行う。その際に、真空を解放するために窒素を系内に導入し、系を常圧に戻すとともに、その窒素によって冷却を図ることも行われている。この場合、窒素が流入する際の圧力によって、気密効果を更に高めるものであった。
【０００７】
しかし、近年、スマートホンの軽量薄型多機能化に伴い、内蔵される水晶振動子や水晶発振子、弾性表面波フィルタ等も、小型薄型の気密封止が要求されている。このため、小型化のために封止における溶着面積が小さくなる。更に、容器の重量が軽いものとなる。これらの要因によって、真空加熱封止時には容器１１と封止蓋１２との間で隙間なく溶着していた溶着材１３中に隙間ができてしまうトラブルが発生するようになった。
【０００８】
また、上述したように冷却時に窒素を導入する場合、容器と封止蓋が小型化すると、外周圧による気密封止の効果も薄れてしまい、気密封止ができないというトラブルが発生するようになった。特許文献１においては、このような問題に対応するための具体的な方法が開示されていない。更に容器と封止蓋が小型化が進む中で、冷却時間が従来方法と同じであると、冷却中に容器と蓋の内部に揮発成分が生まれるトラブルも発生するようになった。
【先行技術文献】
【特許文献】
【０００９】
【特許文献１】特開２０１１−１４８１０号公報
【発明の概要】
【発明が解決しようとする課題】
【００１０】
本発明は上記に鑑み、効率よく高気密性の封止を行うことができる封止装置及びそれを用いた封止方法を提供することを目的とするものである。
【課題を解決するための手段】
【００１１】
本発明は、電子部品を収納する容器と封止蓋とを気密封止する電子部品の封止装置であって、封止ラインとそれに続く５０℃以下の温度に冷却する冷却ラインとを有し、封止蓋と容器との間に溶着材を介在させ、封止ラインにおいて減圧状態で溶着材を溶融させて封止蓋と容器とを封止する封止装置であり、冷却ラインは、直接容器に接触する冷却荷重ピンによって容器と封止蓋との間を加圧しながら冷却を行うものであり、冷却ラインは、窒素導入口を備えたものであることを特徴とする封止装置である。
【００１２】
上記容器及上記封止蓋は、封止治具及び治具蓋の間に設けられた空間中に設置されるものであることが好ましい。
本発明は、上述した封止装置を使用して容器と封止蓋とを封止することを特徴とする封止・冷却方法でもある。
【発明の効果】
【００１３】
本発明の封止装置及び封止・冷却方法は、簡便な装置によって、冷却工程において、容器と封止蓋との間に隙間が生じることを防止することができ、これによって、冷却工程に由来する気密封止不良のトラブルの発生を大幅に低減することができるものである。これによって安価に高気密性の部品を得ることができるため、電子部品の小型化、高性能化を図ることができる。更に、本発明の封止装置及び封止・冷却方法は、急速冷却を行うことが可能であることから、これによって、揮発成分の発生を抑制でき、高気密性の封止を効率よく行うことができる、という利点も有する。
【図面の簡単な説明】
【００１４】
【図１】本発明の封止装置の一例を示す模式図である。
【図２】従来の封止装置の一例を示す模式図である。
【図３】本発明の封止装置の概要を示す模式図である。
【発明を実施するための形態】
【００１５】
以下に、本発明を詳細に説明する。
本発明の封止装置は、加熱封止を行った後の冷却ラインが荷重ピンを備えており、これによって容器と封止蓋との間を加圧しながら急速冷却を行うことに特徴を有するものである。
容器が封止蓋に押圧された状態で冷却が行われるため、容器と封止蓋との間に隙間が生じることによるトラブルが発生しにくくなる。また、荷重ピンは容器に直接接触することから、熱伝導による急速冷却の効果が大きく、これによって、冷却効率が向上するという利点も得られる。
【００１６】
本発明の封止装置における封止ラインは特に限定されるものではなく、任意の公知のものを使用することができる。例えば、特許文献１に記載されたもののように、パレット上に複数の凹部を形成した封止治具を使用し、封止治具の凹部内に封止蓋と容器と溶着材とを収納し、ここに治具蓋を設置した状態で処理を行うことができる。これらを減圧下で加熱し、その後封止工程において減圧下で荷重ピンによって加熱・加圧して封止を行うことができる。また、特許文献１に記載されたもののように、加熱ラインと封止ラインとを別個のものとし、加熱ラインによって加熱した後、封止ラインによって封止を行うものであってもよい。
【００１７】
本発明の具体的な態様の一例を図１において模式図として示した。なお、本発明は図１に記載されたものに限定されるものではない。図１においては、１ａが封止工程を示し、１ｂが冷却工程を示している。
図１の態様において、封止される容器１１及び封止蓋１２は、封止治具１５と治具蓋１４中に形成された空間に設置され、この状態で封止治具１５・治具蓋１４ごとライン中を移動し、ライン中の封止ライン、冷却ラインにおいて所定の封止処理が行われる。
治具蓋１４は、荷重ピンを通過させるための貫通孔が形成されたものであることが好ましい。
【００１８】
図１の態様の封止工程においては、減圧真空下においてそれぞれ所定温度に加熱した上加熱板１７、下加熱板１８によって治具蓋１４と封止治具１５を挟み込む。上加熱板１７、下加熱板１８はいずれも加熱されたものであり、治具蓋１４と封止治具１５と直接接触させ、熱伝導によって容器１１、封止蓋１２、溶着材１３が加熱される。このように加熱されると同時に、荷重ピン１６によって容器１１、封止蓋１２の間に押圧が付与される。これによって溶融した溶着材によって容器１１、封止蓋１２が接着され、封止が行われる。更に、このような封止の工程において、封止ライン内は高真空状態に保たれている。これによって、容器内部が高真空に保たれた状態での封止が行われる。
【００１９】
荷重ピン１６の設置方法は特に限定されるものではないが、例えば、図１に示したもののように、加熱上板１７上に設けた突起物の形態で荷重ピン１６を設けるものとすることができる。
【００２０】
図１の１ａのような封止ラインによって、封止処理を行われた被処理物は、治具蓋１４・封止治具１５とともに、装置内を冷却ラインへと搬送される。冷却ラインにおける処理の方法の一例の模式図を図１の１ｂにおいて示した。
【００２１】
図１の１ｂにおいて、所定温度の上冷却板１９と下冷却板２０によって治具蓋１４と封止治具１５を挟み込む。これによって、上述した封止ラインと同様に、低温の上冷却板１９と下冷却板２０を、治具蓋１４と封止治具１５と直接接触させ、熱伝導によって容器１１、封止蓋１２、溶着材１３が冷却される。
【００２２】
本発明の封止装置においては、図１の１ｂに示したように、冷却ラインにおいて荷重ピン２２を備えたものである。すなわち、図２に示したように、封止ラインにおいて荷重ピン１６を備えた装置は公知であるが、冷却ラインにおいて荷重ピン１６を設置することは、従来知られていなかった新規な事項である。
このように荷重ピン２２を備えた装置によって加圧しながら冷却工程を行うことによって、冷却工程において溶着材のなかに隙間が発生することを防ぐことができ、封止工程における不具合の発生を抑制することができる点で好ましいものである。
【００２３】
上記荷重ピン２２は、封止ラインにおける荷重ピン１６と同様に、上冷却板中に設けた突起として設置したものとすることができる。これによって、荷重ピン２２が直接容器に接触して、加圧することができ、冷却時の隙間の生成を抑制することができ、更に、荷重ピン２２が直接容器１１に接触することから、荷重ピン１６からの熱伝導によって、容器１１が効率よく急速冷却されるという利点も有する。
【００２４】
更に、冷却ラインにおいては、窒素導入口２１を設置したものであってもよい。このような窒素導入口２１から窒素を導入して、減圧を解除するとともに、窒素による冷却効果を得ることもできる。更に、小型の軽量な部品においては、従来の方法では窒素の導入によって、隙間ができたりする場合などがあったが、本発明の封止装置においては荷重ピンによって固定されていることから、このような問題も生じることがない。
【００２５】
このような観点から図２の２ｂとして示した従来技術の封止装置における冷却ラインを参照する。２ｂに示したような冷却ラインにおいては、荷重ピンが存在しない点で本願発明の封止装置とは相違している。この場合、容器１１、封止蓋１２、溶着材１３は、荷重ピンによる固定が行われていない状態であることから、図１の１ｂに示したものに比べて、空隙などを生じやすいことは明らかである。
【００２６】
本発明の封止装置の概要を図３に示した。当該図３は、本発明の一例を示すものであり、これに限定されるものではない。
本発明の封止装置は封止ライン及び冷却ラインを備えたものである。図１に示したように、パレット状の封止治具１５の凹部中に封止蓋１２、溶着材１３、容器１１をこの順に設置する。そして、治具蓋１４を封止治具１５上に載置し、この状態で搬送手段（図示せず）によって、装置内を移動させ、封止ライン１０２→冷却ライン１０４の順に通過させ、それぞれのライン中で必要な処理を行うことによって封止処理を行うものである。
【００２７】
なお、図３に示した封止装置においては、封止ライン前に常圧減圧切替室（入側）１０３及び加熱ライン１０１を備えている。すなわち、封止ライン１０１に被処理物を導入する前に、減圧及び加熱を行うものである。常圧減圧切替室（入側）１０３及び加熱ライン１０１の構成は特に限定されるものではなく、封止装置の通常のラインを使用することができる。
【００２８】
加熱ライン１０１は、加熱手段及び減圧手段を有するものであることが好ましい。すなわち、加熱ライン１０１中では減圧状態で加熱を行い揮発性能を高める構造とする。その際、上記溶着材の融点付近の温度で加熱を行い、加熱ライン中で揮発成分を十分に揮発させることが好ましい。
【００２９】
加熱ライン１０１における減圧手段は特に限定されず、５パスカル（５Ｐａ）以下の減圧状態にまで減圧できるものであれば減圧ポンプ等の周知の任意のものを使用することができる。
【００３０】
封止ライン１０２は、加熱手段、減圧手段及び押圧手段を備えたものである。すなわち、加熱ラインを経て、溶着材が溶融した状態の封止蓋及び容器を気密状態で融着させるものである。
【００３１】
封止ライン１０２における加熱温度は特に限定されるものではなく、使用する溶着材によって適宜設定することができる。原則的には、使用する溶着材の融点以上で加熱することが好ましい。もっとも一般的な溶着材である金錫合金（ＡｕＳｎ合金）の場合は、２８０℃以上であることが好ましい。
【００３２】
封止ライン１０２における減圧手段としても、上記加熱ライン１０１と同一のものを使用することができる。また、上記封止ライン１０２中の空間を上記加熱ライン１０１中の空間と連続したものとして、これらの両方を同時に減圧するものであってもよい。
【００３３】
このような加圧条件は特に限定されるものではないが、容器の大きさによって加圧条件を変更出来ることが好ましい。例えば、□２ｍｍ程度の容器であれば１００ｇ／ｃｍ２という加圧条件で封止を行うことができる。
【００３４】
上記冷却ラインにおいて、押圧ピン２２による加圧は、例えば、□２ｍｍ程度の容器であれば１００ｇ／ｃｍ２という加圧条件で行うことができる。冷却効率については７０℃／分以上の冷却効率を有する事が望ましく、同冷却効率以上且つ出来るだけ短い時間内で５０℃以下の温度まで冷却する事が望ましい。
【００３５】
本発明の封止装置においては、加熱ライン、封止ライン、冷却ラインの各々の温度誤差を少なくする事が求められる。本装置においては温度誤差を±２．５℃以下の制御を有するものとする。
【００３６】
本発明は、上述した封止装置を使用して封止蓋と容器とを封止することを特徴とする封止方法でもある。
【産業上の利用可能性】
【００３７】
本発明は、上述したようなものであり、水晶振動子、水晶発振器、弾性表面波フィルタ、ＬＥＤ等の電子部品の容器と封止蓋とを封止する目的で利用することができる。
【符号の説明】
【００３８】
１１  容器
１２  封止蓋
１３  溶着材
１４  治具蓋
１５  封止治具
１６  荷重ピン（封止ライン）
１７  上加熱板
１８  下加熱板
１９  上冷却板
２０  下冷却板
２１  窒素導入口
２２  荷重ピン（冷却ライン）
１０１  加熱ライン
１０２  封止ライン
１０３  常圧減圧切替室（入側）
１０４  冷却ライン
１０５  １０６．減圧ポンプ
【要約】      （修正有）【課題】効率よく高気密性の封止を行うことができる封止装置及びそれを用いた封止・冷却方法を提供する。【解決手段】電子部品を収納する容器１１と封止蓋１２とを気密封止する電子部品の封止装置であって、封止ラインとそれに続く冷却ラインとを有し、封止蓋１２と容器１１との間に溶着材を介在させ、封止ラインにおいて溶着材を溶融させて封止蓋１２と容器１１とを封止する。冷却ラインは、荷重ピン２２によって容器１１と封止蓋１２との間を加圧しながら急速冷却を行う。【選択図】図１【図１】
0005700318.tif 000002
【図２】
0005700318.tif 000003
【図３】
0005700318.tif 000004